(57)【特許請求の範囲】
【請求項１】
第１の媒質からなる第１のプリズムと、第２の媒質からなる第２のプリズムとが所定の面を接合面として接合一体化されてなり、
上記第１の媒質及び上記第２の媒質の所定波長における屈折率をそれぞれＮ１及びＮ２とし、波長の変化に対する屈折率の変化量をそれぞれ△Ｎ１及び△Ｎ２としたとき、０．７≦（ΔＮ２／ΔＮ１）×（Ｎ１／Ｎ２）２≦１．４の関係を満たし、
上記第１のプリズムは、入射若しくは出射光を屈折させる第１の屈折面を有し、上記第２のプリズムは、入射若しくは出射光と略垂直とされることにより通過する際に光を屈折させることのない通過面を有し、上記第１及び第２のプリズムの接合面は、光が通過する際に光を屈折させる第２の屈折面となされており、上記第１の屈折面での角度変化と、上記第２の屈折面での角度変化とが略等しいことにより、入射する光の進行方向と、出射する光の進行方向とが略平行とされ、入射する光に対して、その光束断面内の特定方向において所定の倍率で拡大若しくは縮小変換を行い、この拡大若しくは縮小変換を行った光を、出射させるアナモルフィックプリズム。
【請求項２】
上記第１のプリズムと上記第２のプリズムとの接合面における上記入射光の光束断面の変換倍率が、上記接合面とは異なる上記第１のプリズム又は上記第２のプリズムの屈折面における入射光の光束断面の変換倍率よりも大である請求項１記載のアナモルフィックプリズム。
【請求項３】
上記第１のプリズムに入射光を入射させるとした場合に、上記第２のプリズムの上記出射光束が出射する面には反射面が設けられており、この反射面により上記出射光束の進行方向が曲折されることにより、上記出射光束の進行方向が上記第１のプリズムに向かう入射光の進行方向に対して略垂直とされる請求項１記載のアナモルフィックプリズム。
【請求項４】
光源と、
当該光源から出射された光をその光束断面内の特定方向に変換するアナモルフィックプリズムと、
上記アナモルフィックプリズムから出射された光を集光して光記録媒体に照射させる対物レンズと、
上記光記録媒体にて反射された戻り光を受光する光検出素子とを備え、
上記アナモルフィックプリズムは、第１の媒質からなる第１のプリズムと、第２の媒質からなる第２のプリズムとが所定の面を接合面として接合一体化されてなり、
上記第１の媒質及び上記第２の媒質の所定波長における屈折率をそれぞれＮ１及びＮ２とし、波長の変化に対する屈折率の変化量をそれぞれ△Ｎ１及び△Ｎ２としたとき、０．７≦（ΔＮ２／ΔＮ１）×（Ｎ１／Ｎ２）２≦１．４の関係を満たし、
上記第１のプリズムは、入射若しくは出射光を屈折させる第１の屈折面を有し、上記第２のプリズムは、入射若しくは出射光と略垂直とされることにより通過する際に光を屈折させることのない通過面を有し、上記第１及び第２のプリズムの接合面は、光が通過する際に光を屈折させる第２の屈折面となされており、上記第１の屈折面での角度変化と、上記第２の屈折面での角度変化とが略等しいことにより、入射する光の進行方向と、出射する光の進行方向とが略平行とされ、入射する光に対して、その光束断面内の特定方向において所定の倍率で拡大若しくは縮小変換を行い、この拡大若しくは縮小変換を行った光を、出射させる光学ヘッド。
【請求項５】
上記アナモルフィックプリズムは、上記光源からの光束に対して、当該光束の光記録媒体の主面に垂直な方向において所定の倍率で拡大若しくは縮小変換を行う請求項４記載の光学ヘッド。
【請求項６】
上記アナモルフィックプリズムは、上記光源からの光束に対して１．４倍以上の変換倍率で変換する請求項４記載の光学ヘッド。
【請求項７】
光源と、当該光源から出射された光をその光束断面内の特定方向に変換するアナモルフィックプリズムと、上記アナモルフィックプリズムから出射された光を集光して光記録媒体に照射させる対物レンズと、上記光記録媒体にて反射された戻り光を受光する光検出素子とを備えた光学ヘッドと、
上記光学ヘッドからの検出信号を処理する信号処理回路と、
信号処理回路からの出力に基づいて上記光学ヘッドの動作を制御する制御手段とを備え、
上記光記録媒体の信号記録面に対して光学的に情報信号の記録再生を行う光記録再生装置であって、
上記光学ヘッドが備えるアナモルフィックプリズムは、第１の媒質からなる第１のプリズムと、第２の媒質からなる第２のプリズムとが所定の面を接合面として接合一体化されてなり、
上記第１の媒質及び上記第２の媒質の所定波長における屈折率をそれぞれＮ１及びＮ２とし、波長の変化に対する屈折率の変化量をそれぞれ△Ｎ１及び△Ｎ２としたとき、０．７≦（ΔＮ２／ΔＮ１）×（Ｎ１／Ｎ２）２≦１．４の関係を満たし、
上記第１のプリズムは、入射若しくは出射光を屈折させる第１の屈折面を有し、上記第２のプリズムは、入射若しくは出射光と略垂直とされることにより通過する際に光を屈折させることのない通過面を有し、上記第１及び第２のプリズムの接合面は、光が通過する際に光を屈折させる第２の屈折面となされており、上記第１の屈折面での角度変化と、上記第２の屈折面での角度変化とが略等しいことにより、入射する光の進行方向と、出射する光の進行方向とが略平行とされ、入射する光に対して、その光束断面内の特定方向において所定の倍率で拡大若しくは縮小変換を行い、この拡大若しくは縮小変換を行った光を、出射させる光記録再生装置。
【発明の詳細な説明】
【０００１】
【発明の属する技術分野】
本発明は、例えば、入射光束を光束断面の特定方向において圧縮又は、伸張させて出射するアナモルフィックプリズム及びそれを用いた光学ヘッド、並びにそれを用いて光信号記録及び／又は再生を行う光記録再生装置に関する。
【０００２】
【従来の技術】
現在、種々の光記録再生装置が開発され、広く用いられているが、例えば記録再生型の光ディスク装置の場合、ディスク上に集光したスポットの形状によって記録特性が変化してしまう。光ディスク装置等においては、入射光束に対する出射光束の倍率を光束断面の特定方向で変化させて、即ち、圧縮又は伸張させて出射させるための光学素子としてのいわゆるアナモルフィックプリズムと呼ばれるプリズムが広く用いられている。通常、この種のシステムの光源としては半導体レーザが広く用いられており、その出射ビームの発散角が、構造上、ｐｎ接合面に平行な方向（θ／／方向）で半値全幅１０度程度、ｐｎ接合面に垂直な方向（θ⊥方向）で半値全幅２０〜３０度程度となっている（この発散角の違いθ⊥／θ／／をアスペクト比という。）。そのため、出射ビームの倍率変換を行わないとθ／／方向に対応する方向の光強度が、周辺部で急激に低下し、ビーム径を小さく絞れなくなってしまう。そこで、通常、半導体レーザからの出射ビームに対して１．４〜３．０倍程度の倍率変換を行って、光強度分布に方向による不均一が大きく生じないようにしている。例えば、光ディスク装置において往路のコリメータレンズの焦点距離からの発光点位置ずれ△による非点収差の発生量が、変換倍率βとしたときに、△×β2に比例するため、通常はなるべく変換倍率が大きくならないように、変換倍率をアスペクト比よりもやや小さめに設定する場合が多い。
【０００３】
従来、光ディスク装置で用いられるアナモルフィックプリズム１０１は、例えば図１０のように、２つの異なる硝材からなる第１のプリズム１０２と第２のプリズム１０３とを貼り合わせて構成されていた。アナモルフィックプリズム１０１を２つの硝材を貼り合わせて用いるのは、倍率の変換とともに「色消し」作用を持たせ、且つプリズムの生産効率を向上させるためである。ここで、「色消し」とは、プリズムに入射する入射光束の波長が、設計波長から波長が変化した場合においても、プリズムからの出射光束の進行方向がほとんど変化しないようにすることをいう。この「色消し」は、光記録変調型の光ディスク装置において特に重要となる。即ち、通常この種の光ディスク装置では、レーザの出射パワーを変化させてディスク媒体に信号を記録するが、レーザの立ち上がり時と立ち下がり時には、レーザの波長が変動することが多い。この場合には、アナモルフィックプリズムが「色消し」作用を備えていないと、レーザ光は、プリズムからの出射角度が変化するため、対物レンズで集光したときに、ディスク上でビームスポットの移動が生じる。そのため、アナモルフィックプリズムを光ディスクの線密度方向に用いた場合には、ジッタ増加の原因となり、また、アナモルフィックプリズムを光ディスクの径方向に用いた場合には、信号を記録再生するスポットがデトラックしてしまうという問題が生じる。
【０００４】
「色消し」の手法として従来は、レンズにおける「色消し」と同様に、アッベ数の大きい、即ち、屈折率の波長による変化が小さいクラウン系の硝材と、アッベ数の小さい、即ち、屈折率の波長による変化の大きいフリント系の硝材とを組み合わせて用いていた。例えば、図１０のアナモルフィックプリズム１０１の場合は、波長６６０ｎｍの入射光において、変換倍率が１．９倍となるように構成されている。しかし、この構成の場合には、光の入射方向と出射方向とが２４．６３度と大きく異なるため、光学ヘッドの光学部品構成の自由度を大きく損なってしまう。
【０００５】
このプリズムを用いて構成される光学ヘッド及びそれを用いた光ディスク装置のドライブ部分の概略図を図１１に示す。また、図１１において矢視Ｄにおける要部側面図を図１２に示す。
【０００６】
通常、光学ヘッドを構成する場合には、アナモルフィックプリズムを配置する方向は、半導体レーザの発散角の状態に応じて決まる。
【０００７】
ここで、図１１の光学ヘッドにおける光路を簡単に説明する。半導体レーザ１０５から出射されたレーザ光は、往路コリメータレンズ１０６によって、平行光に変換され、アナモルフィックプリズム１０１に入射する。アナモルフィックプリズム１０１に入射したレーザ光は、アナモルフィックプリズム１０１によって、θ／／方向に対応した方向の断面が１．９倍に拡大され、レーザ光における光強度分布の不均一性が補正される。光強度分布が補正され、アナモルフィックプリズム１０１から出射されたレーザ光は、グレーティング１０７に入射し、トラッキングエラー検出に用いられる主ビームと複数の副ビームとに分離されて偏光ビームスプリッタプリズム１０８の偏光ビームスプリッタ面を透過する。ここで、偏光ビームスプリッタ面は、Ｐ偏光を透過させ、Ｓ偏光は、反射する。そして、偏光ビームスプリッタ面を透過したレーザ光は、１／４波長板１０９に入射し、円偏光とされて、光学ヘッド１０４の薄型化のために折り曲げミラー１１０によって進行方向を９０度曲折されて対物レンズ１１１に入射する。対物レンズ１１１に入射したレーザ光は、光ディスク１１６の信号記録面上に集光され、信号の記録再生が行われる。また、光ディスク１１６から反射された戻り光は、対物レンズ１１１により平行光に変換され、折り曲げミラー１１０により光路を９０度曲折され、１／４波長板１０９に入射し、１／４波長板１０９により往路に対して９０度偏光方向を変換される。偏光方向を９０度変換された戻り光は、偏光ビームスプリッタプリズム１０８の偏光ビームスプリッタ面をＳ偏光として反射され、全反射面により全反射され、復路コリメータレンズ１１２に入射する。復路コリメータレンズ１１２に入射した戻り光は、収束光に変換された後、マルチレンズ１１３によりフォーカスエラー信号検出用の非点収差を付与され、光検出素子により受光される。そして、光検出素子により受光された戻り光の光信号をもとに、情報の再生及びディスク上の光スポットの制御が行われる。
【０００８】
この光学ヘッド１０４の場合、光ディスク１１６の径方向の大きさを小さくすることができるため、ドライブ自体の大きさを小さくでき、光ディスク装置全体の小型化が可能である。
【０００９】
ここで、対物レンズ瞳面における光強度分布としては、例えばθ／／を１０度、θ⊥を２５度、変換倍率βを１．９倍、往路コリメータ有効ＮＡ数を０．１７とすると、対物レンズ瞳面の中心に位置における光強度を１としたときにトラックの線密度方向の外縁部での光強度は、０．６６、光ディスクの径方向の外縁部での光強度は、０．４８となり、トラックの線密度方向の方が光強度の低下が小さくなる。
【００１０】
【発明が解決しようとする課題】
しかしながら、光ディスク装置によっては、光ディスクの径方向の方がトラックの線密度方向よりも光強度の低下を小さくして用いる場合もある。この場合、図１１の部品構成をなるべく維持した状態で対応しようとすると、大別して以下に示す３種類の構成を挙げることができるが、それぞれ以下に記す問題点を有している。
【００１１】
図１３は、光強度の関係を考慮して半導体レーザ１０５とアナモルフィックプリズム１０１の方向を９０度回転させたものである。図１３の矢視Ｅにおける要部側面図を図１４に示す。そして、この状態では、偏光ビームスプリッタプリズム１０８に入射する偏光方向がＳ偏光になるため、グレーティング１０７の手前に、半波長板１１５を挿入し、偏光方向をＰ偏光に変換している。しかしながらこの場合には、アナモルフィックプリズム１０１による光軸傾きが、２４．６３度あるため、光学ヘッド１０４の厚みが大きくなり、装置全体の大型化につながるだけでなく、諸部品を配置するベース自体の加工精度を保つ構成が困難になるという問題がある。
【００１２】
また、図１５は、光路上の光軸傾きをなくすために、アナモルフィックプリズム１０１を、貼り合わせないタイプのアナモルフィックプリズム１１７に置き換えたものである。図１５の矢視Ｆにおける要部側面図を図１６に示す。また、貼り合わせないタイプのアナモルフィックプリズム１１７の拡大図を図１７に示す。このアナモルフィックプリズム１１７の場合には、入射光と出射光とで光の進行方向を平行にすることができるが、プリズムを形成する個々の構成部材、即ち、第１のプリズム１１８、第二のプリズム１１９及び保持部材１２０をそれぞれ個別に精度良く貼り合わせる必要があり、作製に時間を要し、アナモルフィックプリズム１１７の生産効率が低くなるという問題がある。
【００１３】
また、図１８は、半導体レーザ１０５とアナモルフィックプリズム１０１との方向は変えずに、他の光学部品全体を９０度回転させたものである。図１８の矢視Ｇにおける要部側面図を図１９に示す。この場合には、光ディスク１１６のトラックとの配置関係の変化に伴い、グレーティング１０７と光検出素子１１４とを９０度回転させたグレーティング１０７及び光検出素子１１４としている。この構成の場合には、上述した光学ヘッド１０４の厚みやベース自体の加工精度問題、若しくは、アナモルフィックプリズム１０１の生産効率の問題は生じないが、光ディスクの径方向の大きさが大きくなり、ドライブ自体の大きさが大きくなるため、光ディスク装置全体の小型化が困難になるという問題がある。
【００１４】
したがって、本発明は上述した従来の実情に鑑みて創案されたものであり、装置の大型化を招くことなく、記録媒体上での光束の強度分布を簡便に変更することができ、最適な状態で記録再生を行うことができるアナモルフィックプリズム、及び、当該アナモルフィックプリズムを用いた小型で生産性が高い光学ヘッド及び光記録再生装置を提供することを目的とする。
【００１５】
【課題を解決するための手段】
本発明に係るアナモルフィックプリズムは、第１の媒質からなる第１のプリズムと、第２の媒質からなる第２のプリズムとが所定の面を接合面として接合一体化されてなり、上記第１の媒質及び上記第２の媒質の所定波長における屈折率をそれぞれＮ１及びＮ２とし、波長の変化に対する屈折率の変化量をそれぞれ△Ｎ１及び△Ｎ２としたとき、０．７≦（ΔＮ２／ΔＮ１）×（Ｎ１／Ｎ２）２≦１．４の関係を満たし、上記第１のプリズムは、入射若しくは出射光を屈折させる第１の屈折面を有し、上記第２のプリズムは、入射若しくは出射光と略垂直とされることにより通過する際に光を屈折させることのない通過面を有し、上記第１及び第２のプリズムの接合面は、光が通過する際に光を屈折させる第２の屈折面となされており、上記第１の屈折面での角度変化と、上記第２の屈折面での角度変化とが略等しいことにより、入射する光の進行方向と、出射する光の進行方向とが略平行とされ、入射する光に対して、その光束断面内の特定方向において所定の倍率で拡大若しくは縮小変換を行い、この拡大若しくは縮小変換を行った光を、出射させる。
【００１６】
本発明に係るアナモルフィックプリズムは、第１の媒質からなる第１のプリズムと、第２の媒質からなる第２のプリズムとが所定の面を接合面として接合一体化されてなるため、作製が容易であり、生産性に優れたものとなる。
【００１７】
また、本発明に係るアナモルフィックプリズムは、第１のプリズム内に入射した光に対して、その光束断面内の特定方向において所定の倍率で拡大若しくは縮小変換を行い、この拡大若しくは縮小変換を行った光を、第１のプリズムに向かう入射光束の進行方向と略平行な進行方向を有する出射光束として、第２のプリズムから出射させる。したがって、即ち、このアナモルフィックプリズムは、従来のプリズムを貼り合わせないタイプのアナモルフィックプリズムの有する入射光束と出射光束との進行方向を略平行にする特性と、従来の貼り合わせタイプのアナモルフィックプリズムの有する生産性に優れるという特性を兼ね備えたものとされる。
【００１８】
本発明に係る光学ヘッドは、光源と、当該光源から出射された光をその光束断面内の特定方向に変換するアナモルフィックプリズムと、アナモルフィックプリズムから出射された光を集光して光記録媒体に照射させる対物レンズと、光記録媒体にて反射された戻り光を受光する光検出素子とを備え、アナモルフィックプリズムは、第１の媒質からなる第１のプリズムと、第２の媒質からなる第２のプリズムとが所定の面を接合面として接合一体化されてなり、上記第１の媒質及び上記第２の媒質の所定波長における屈折率をそれぞれＮ１及びＮ２とし、波長の変化に対する屈折率の変化量をそれぞれ△Ｎ１及び△Ｎ２としたとき、０．７≦（ΔＮ２／ΔＮ１）×（Ｎ１／Ｎ２）２≦１．４の関係を満たし、上記第１のプリズムは、入射若しくは出射光を屈折させる第１の屈折面を有し、上記第２のプリズムは、入射若しくは出射光と略垂直とされることにより通過する際に光を屈折させることのない通過面を有し、上記第１及び第２のプリズムの接合面は、光が通過する際に光を屈折させる第２の屈折面となされており、上記第１の屈折面での角度変化と、上記第２の屈折面での角度変化とが略等しいことにより、入射する光の進行方向と、出射する光の進行方向とが略平行とされ、入射する光に対して、その光束断面内の特定方向において所定の倍率で拡大若しくは縮小変換を行い、この拡大若しくは縮小変換を行った光を、出射させる。
【００１９】
本発明に係る光学ヘッドは、第１の媒質からなる第１のプリズムと、第２の媒質からなる第２のプリズムとが所定の面を接合面として接合一体化されてなるアナモルフィックプリズムを用いているため、作製が容易であり、生産性に優れたものとなる。
【００２０】
また、本発明に係る光学ヘッドは、第１のプリズム内に入射した光に対して、その光束断面内の特定方向において所定の倍率で拡大若しくは縮小変換を行い、この拡大若しくは縮小変換を行った光を、第１のプリズムに向かう入射光束の進行方向と略平行な進行方向を有する出射光束として、第２のプリズムから出射させるアナモルフィックプリズムを用いているため、光学ヘッド自体を小型化することが可能となる。
【００２１】
本発明に係る光記録再生装置は、光源と、当該光源から出射された光をその光束断面内の特定方向に変換するアナモルフィックプリズムと、アナモルフィックプリズムから出射された光を集光して光記録媒体に照射させる対物レンズと、光記録媒体にて反射された戻り光を受光する光検出素子とを備えた光学ヘッドと、光学ヘッドからの検出信号を処理する信号処理回路と、信号処理回路からの出力に基づいて光学ヘッドの動作を制御する制御手段とを備え、光記録媒体の信号記録面に対して光学的に情報信号の記録再生を行う光記録再生装置であって、光学ヘッドが備えるアナモルフィックプリズムは、第１の媒質からなる第１のプリズムと、第２の媒質からなる第２のプリズムとが所定の面を接合面として接合一体化されてなり、上記第１の媒質及び上記第２の媒質の所定波長における屈折率をそれぞれＮ１及びＮ２とし、波長の変化に対する屈折率の変化量をそれぞれ△Ｎ１及び△Ｎ２としたとき、０．７≦（ΔＮ２／ΔＮ１）×（Ｎ１／Ｎ２）２≦１．４の関係を満たし、上記第１のプリズムは、入射若しくは出射光を屈折させる第１の屈折面を有し、上記第２のプリズムは、入射若しくは出射光と略垂直とされることにより通過する際に光を屈折させることのない通過面を有し、上記第１及び第２のプリズムの接合面は、光が通過する際に光を屈折させる第２の屈折面となされており、上記第１の屈折面での角度変化と、上記第２の屈折面での角度変化とが略等しいことにより、入射する光の進行方向と、出射する光の進行方向とが略平行とされ、入射する光に対して、その光束断面内の特定方向において所定の倍率で拡大若しくは縮小変換を行い、この拡大若しくは縮小変換を行った光を、出射させる。
【００２２】
本発明に係る光記録再生装置は、第１の媒質からなる第１のプリズムと、第２の媒質からなる第２のプリズムとが所定の面を接合面として接合一体化されてなるアナモルフィックプリズムを用いているため、作製が容易であり、生産性に優れたものとなる。
【００２３】
また、本発明に係る光記録再生装置は、第１のプリズム内に入射した光に対して、その光束断面内の特定方向において所定の倍率で拡大若しくは縮小変換を行い、この拡大若しくは縮小変換を行った光を、第１のプリズムに向かう入射光束の進行方向と略平行な進行方向を有する出射光束として、第２のプリズムから出射させるアナモルフィックプリズムを用いているため、光記録再生装置自体を小型化することが可能となる。
【００２４】
【発明の実施の形態】
以下、本発明を適用した実施の形態を図面を参照して、詳細に説明する。なお、以下に述べる実施の形態は、本発明の好適な具体例であり技術的に好ましい種々の限定が付されているが、本発明は、特に本発明を限定する記載がない限り、これらの態様に限られるものではなく、本発明の要旨を逸脱しない範囲において適宜変更可能である。
【００２５】
まず、本発明を適用したアナモルフィックプリズムについて説明する。図１に本発明を適用したアナモルフィックプリズム１の一例を示す。このアナモルフィックプリズム１は、色消し作用を備えた色消しアナモルフィックプリズム１であり、それぞれ異なる硝材からなるプリズム、即ち、ＢＡＭ３（ＯＨＡＲＡ社製）からなる第１のプリズム２とＳＬＡＭ６０（ＯＨＡＲＡ社製）からなる第２のプリズム３との２つのプリズムを接合一体化して構成されている。そして、このアナモルフィックプリズム１は、波長６６０±３０ｎｍの光を扱うものとされている。
【００２６】
このアナモルフィックプリズム１は、異なる硝材を接合一体化して構成するアナモルフィックプリズムであるが、アナモルフィックプリズム１に入射する入射光の進行方向と、アナモルフィックプリズム１から出射される出射光の進行方向とが略平行とされる。即ち、このアナモルフィックプリズム１は、入射光に対して入射光断面内の所定の方向において、所定の倍率で変換を行い、且つ入射光の進行方向と出射光の進行方向とが略平行となるように出射するものである。これにより、半導体レーザ８とアナモルフィックプリズム１の方向を変更することで対物レンズ瞳上の光強度分布を容易に変更することが可能となる。
【００２７】
更に、このアナモルフィックプリズム１では、入射光と出射光との光軸傾きが存在しないため、光学ヘッド等の大きさに影響を与えることがない。即ち、このアナモルフィックプリズム１では、入射光と出射光とで進行方向が平行とされるため、光学ヘッド等を構成する際に入射光と出射光との光軸傾きに起因するスペースを取る必要がなく、光学ヘッド等の小型化を可能とする。
【００２８】
また、このアナモルフィックプリズム１は、作製するに際して、特に特別な工程を施す必要はなく、従来のアナモルフィックプリズムと同様の作製方法によって作製することができる。また、入射光と出射光との光軸傾きが存在しないため、作製精度においては、従来のアナモルフィックプリズムと比較して加工・固定精度の条件を緩和することができ、生産効率を向上させることができる。
【００２９】
また、従来のアナモルフィックプリズムにおいては、アッベ数の大きい、即ち屈折率の波長による変化の小さいクラウン系の硝材と、アッベ数の小さい、即ち屈折率の波長による変化の大きいフリント系の硝材とを組み合わせて構成している。一方、このアナモルフィックプリズム１の場合には、アッベ数が略等しく、且つ、屈折率の異なる硝材を組み合わせて構成している。
【００３０】
色消しアナモルフィックプリズムは、２回の屈折により、「光束断面の変換」と「色消し」の２つの作用を行う。ここで、従来のアナモルフィックプリズムと上述したアナモルフィックプリズムとで特性を比較した結果を表１に示す。
【００３１】
【表１】
0004483021.tif 000002
【００３２】
また、上記の比較を具体的な数値を用いてより詳細に比較した結果を表２に示す。
【００３３】
【表２】
0004483021.tif 000003
【００３４】
ここで、アナモ倍率とは、図１においてＡ→Ｂの方向に光が進行する場合の拡大率を表すが、これに限らず、図１においてＢ→Ａの方向に光が進行するようにアナモルフィックプリズム１を用いる場合には、その縮小率の逆数をアナモ倍率として考えれば良い。
【００３５】
表２から判るように、本発明を適用したアナモルフィックプリズム１では、第２の屈折、即ち第１のプリズム２と第２のプリズム３との接合面で生じた屈折での変換倍率が、第１の屈折、即ち第１のプリズム２への入射面で生じた屈折での変換倍率よりも大きく構成されていることを特徴とする。ここで、変換倍率とは、光束断面の拡大率、若しくは縮小率を表す。そして、「変換倍率が大きい」とは、変換前の光束断面を１としたとき、光束断面の拡大率、若しくは縮小率が、１からどれだけ離れているかを表す。即ち、アナモルフィックプリズム１を光束断面内の特定方向において縮小するように用いる場合には、縮小率が１から小さくなるほど、「変換倍率が大きい」ということになる。
【００３６】
従来の方式のアナモルフィックプリズムの場合、第１のプリズムと第２のプリズムとを構成する２つの硝材には屈折率の波長依存性に大きな差があることから、第１の屈折、即ち第１のプリズムへの入射面で生じた屈折角の波長依存性を補正するために必要な屈折角は小さくなる。その結果として、第２の屈折、即ち第１のプリズムと第２のプリズムとの貼り合わせ面で生じた屈折での入射角度は小さくなってしまう。そのため、第１の屈折での進行方向の変化がほぼそのまま入射光と出射光との進行方向の変化となる。
【００３７】
一方、本発明を適用したアナモルフィックプリズム１の場合には、第１のプリズム２と第２のプリズム３とを構成する２つの硝材では屈折率の波長依存性の差が小さいため、第１の屈折、即ち第１のプリズム２への入射面で生じた屈折角の波長依存性を補正するために必要な屈折角を大きく取ることができる。その結果、第２の屈折、即ち第１のプリズム２と第２のプリズム３との貼り合わせ面で生じた屈折での入射角度は大きくなる。そのため、第１の屈折での角度変化と、第２の屈折での角度変化が略等しくなり、且つ、第１の屈折での角度変化で生じた屈折角の波長依存性と、第２の屈折で生じた屈折角の波長依存性も略等しくなる条件を満たすようにアナモルフィックプリズム１を設計することが可能となる。更に、第２の屈折でアナモ倍率を稼ぐことができるため、第１の屈折での角度変化を小さくすくことができるため、第２の屈折で補正すべき屈折角の波長依存性自体を小さく抑えることが可能となる。
【００３８】
また、このアナモルフィックプリズム１は、第１の硝材の屈折率の波長による変化△Ｎ１及び第２の硝材の屈折率の波長による変化△Ｎ２を、それぞれ第１の硝材の屈折率Ｎ１及び第２の硝材の屈折率Ｎ２で割ったときの比と、屈折率Ｎ１及びＮ２の比とが略等しくなるように構成されている。即ち、下記式（１）の条件を満たすように構成されている。
【００３９】
【数２】
0004483021.tif 000004
【００４０】
また、光ディスク装置に用いる場合には、狭い波長範囲で用いられるため、屈折率の波長による変化△Ｎ１及び△Ｎ２をそのまま用いている。そして、より広い波長領域に対応させる場合には、ｄ線に対する屈折率Ｎ１ｄ及びＮｄ２と、アッベ数νｄ１及びνｄ２をそのまま用いて、下記式（２）としても良い。
【００４１】
【数３】
0004483021.tif 000005
【００４２】
表２に示した従来のアナモルフィックプリズム及び本発明を適用したアナモルフィックプリズムの各値を上記式（１）に当てはめた結果を表３に示す。
【００４３】
【表３】
0004483021.tif 000006
【００４４】
表３より、従来のアナモルフィックプリズムにおいては、式（１）における左辺と右辺との値が大きく異なるのに対して、本発明を適用したアナモルフィックプリズムでは、式（１）における左辺と右辺との値が略等しくなっていることが判る。このことより、式（１）の条件を満たすようにアナモルフィックプリズムの構成することにより入射光の進行方向と出射光の進行方向とが略平行な色消しアナモルフィックプリズムを作製可能であることが判る。
【００４５】
また、上記式（１）を変形することにより下記式（３）を導き出すことができる。
【００４６】
【数４】
0004483021.tif 000007
【００４７】
上記式（３）の左辺の値を、１前後において微小変化させることにより、「入出射光の平行条件」及び「色消し条件」を維持したまま、アナモ倍率を変化させることができる。
【００４８】
現在、記録密度の更なる向上を目的として、従来と比較して、より短波長の４０５ｎｍ近傍の波長のレーザ光を用いる光ディスク等の開発、実用化が進められている。そこで、設計中心波長４０５ｎｍ、波長範囲±１０ｎｍ（３９５ｎｍ〜４１５ｎｍ）の条件において、第１のプリズムと第２のプリズムを構成する２つの硝材の組み合わせを変化させながら、アナモ倍率を変化させて上記式（３）の左辺の値を求めた結果を図２に示す。
【００４９】
図２より、用いる硝材の種類の違いによりばらつきは生じるものの、式（３）の左辺の値とアナモ倍率との間には、極めて高い相関があることが判る。この傾向は、第１のプリズム及び第２のプリズムに用いる硝材の種類、使用する波長、想定する波長変化幅等により、多少の変化は生じるが、ほぼ同等の傾向を示す。このことは、設計中心波長６６０ｎｍ、波長範囲±３０ｎｍ（６３０ｎｍ〜６９０ｎｍ）の条件において上記と同様にして第１のプリズム２と第２のプリズム３を構成する２つの硝材の組み合わせを変化させながら、アナモ倍率を変化させて上記式（３）の左辺の値を求めて図２と比較しても、分布の中にきれいに収まることからも明らかである。
【００５０】
以上の結果より、例えば、用途として光ディスクを想定した場合、下記式（４）を満たすように第１のプリズム及び第２のプリズムを構成する硝材を選定することにより、所望のアナモ倍率で、「入出射の平行条件」及び「色消し条件」を満足するアナモルフィックプリズムを実現することが可能となる。
【００５１】
【数５】
0004483021.tif 000008
【００５２】
また、アナモルフィックプリズムは、光学系の構成によっては、例えば図３及び図４に示すような反射面を有する構成としても良い。
【００５３】
即ち、図３のアナモルフィックプリズム１の場合は、第２のプリズム３の第１のプリズム２との貼り合わせ面と反対側の面に反射面を備える。このアナモルフィックプリズム１に入射した入射光は、第１のプリズム２の入射面において第１の屈折で進行方向を変えられ、第１のプリズム２と第２のプリズム３との貼り合わせ面で生じた第２の屈折で更に進行方向を入射光と略平行な方向に変えられる。そして、第２のプリズム３の端面に設けられた反射面により反射させられて入射光の進行方向と略９０度曲折した方向に出射される。このとき、出射光は、その光束断面の特定方向において、所定の倍率で変換が行われている。
【００５４】
また、図４のアナモルフィックプリズム１の場合には、第２のプリズム３の第１のプリズム２との接合面と反対側の面に、例えば光学ヘッド内の往復の光路系に用いられるような偏光ビームスプリッタ５などを備える。このアナモルフィックプリズム１に入射した入射光は、第１のプリズム２の入射面において第１の屈折で進行方向を変えられ、第１のプリズム２と第２のプリズム３との接合面で生じた第２の屈折で更に進行方向を入射光と略平行な方向に変えられる。そして、第２のプリズム３の端面に設けられたビームスプリッタ面５により反射させられて所定の方向に出射される。このとき、出射光は、その光束断面の特定方向において、所定の倍率で変換が行われている。そして、所定の方向に出射された光束は、レンズ等を介して、例えば光ディスク等の反射物に照射され、反射物によって反射された光は再びレンズ等を介して上記と逆の光路をたどって再度第２のプリズム３に入射し、今度は、上記ビームスプリッタ面５を透過して入射光の進行方向と略９０度曲折した方向に出射する。
【００５５】
以上、図３及び図４に示したアナモルフィックプリズム１では、貼り合わせタイプのアナモルフィックプリズムで、入射光に対して、当該入射光の光束断面の特定方向において、所定の倍率で変換を行った出射光を、入射光束の進行方向から略９０度曲折したの方向に出射することができる。
【００５６】
本発明を適用したアナモルフィックプリズム１は、以上説明したように異なる硝材からなる２種類のプリズムを接合一体化して構成され、入射光束の特定方向において所定の倍率で拡大若しくは縮小変換を行い、且つ入射光束の進行方向と略平行の進行方向を有する出射光束を出射する。このアナモルフィックプリズム１は、アッベ数が略等しく、屈折率の異なる硝材を組み合わせて構成されているため、第１の屈折での角度変化と、第２の屈折での角度変化を略等しくし、且つ、第１の屈折での角度変化で生じた屈折角の波長依存性と、第２の屈折で生じた屈折角の波長依存性も略等しくすることができ、貼り合わせタイプのアナモルフィックプリズムでありながら、入射光束と出射光束の進行方向を略平行とすることができる。
【００５７】
また、このアナモルフィックプリズム１は、貼り合わせタイプのアナモルフィックプリズムであるため、作製が容易であり生産効率の良いアナモルフィックプリズムとされる。
【００５８】
次に、本発明を適用したアナモルフィックプリズム１を用いて構成した光学ヘッド６の一構成例について説明する。図５及び図６に、本発明を適用した光学ヘッド６の一構成例の概略構成図を示す。なお、図５は、光学ヘッド６の上面図、図６は、光学ヘッド６の側面図である。
【００５９】
この光学ヘッド６は、光ディスク７に向けて記録再生用のレーザ光を出射する半導体レーザ８と、光ディスク７に対向配置され、半導体レーザ８から出射されたレーザ光を集束して光ディスク７の信号記録層上に照射させる対物レンズ９とを備えている。  また、半導体レーザ８と対物レンズと９の間には、半導体レーザ８から出射されたレーザ光を平行光とする往路コリメータレンズ１０と、往路コリメータレンズ１０を透過した記録再生用のレーザ光を整形し、光強度分布を補正するアナモルフィックプリズム１と、アナモルフィックプリズム１を透過した記録再生用のレーザ光の偏光方向を９０度変換する半波長板１１と、偏光方向を９０度変換されたレーザ光を主ビームと複数の副ビームとに分離するグレーティング１２と、グレーティング１２を透過した記録再生用のレーザ光を透過するとともに、光ディスク７の信号記録層にて反射された記録再生用のレーザ光（戻り光）を反射する偏光ビームスプリッタ１３と、偏光ビームスプリッタ１３を透過した記録再生用のレーザ光を円偏光にする１／４波長板１４と、光学ヘッド６の薄型化のために設けられ、１／４波長板１４を透過した円偏光の光路を９０度曲折する折り曲げミラー１５とがそれぞれ設けられている。ここで、アナモルフィックプリズムは、上述した本発明に係るアナモルフィックプリズム１を用いている。そして、このアナモルフィックプリズム１によりレーザ光の倍率が変換される方向は、光ディスクの主面に垂直な方向である。また、このアナモルフィックプリズム１によりレーザ光に与えられる変換倍率は、１．４倍以上である。
【００６０】
更に、偏光ビームスプリッタ１３により反射された戻り光の光路上には、偏光ビームスプリッタ１３により反射された戻り光を平行光に変換する復路コリメータレンズ１６と、復路コリメータレンズ１６を透過した戻り光にフォーカスサーボ用の非点収差を生じさせるマルチレンズ１７と、マルチレンズ１７を透過した戻り光を受光する光検出素子１８とがそれぞれ設けられている。
【００６１】
なお、以上の構成は、本発明を適用した光学ヘッドの一例であり、本発明に係る光学ヘッドは、この例に限定されるものではなく、対応する光ディスクのフォーマットや、フォーカスエラー信号及びトラッキングエラー信号の検出方法等に応じて、適宜光学素子の追加、削除、変更等を行うようにしても良いことは勿論である。
【００６２】
ここで、レーザ光の光路上に本発明を適用したアナモルフィックプリズム１を配設した光学ヘッド６により、光ディスク７に情報信号の書き込み及び読み出しを行う動作について説明する。
【００６３】
光学ヘッド６を用いて光ディスク７に情報信号の書き込みを行う際は、まず、半導体レーザが図示しない制御部の制御に基づいて、記録信号に対応して光強度を変調しながら、例えば偏光ビームスプリッタプリズム１３にとってＳ偏光となる偏光方向のレーザ光を出射する。
【００６４】
半導体レーザ８から出射されたレーザ光は、往路コリメータレンズ１０を透過することにより平行光とされ、アナモルフィックプリズム１に入射する。
【００６５】
アナモルフィックプリズム１に入射したレーザ光は、変換倍率１．９倍のアナモルフィックプリズム１により、θ／／方向に対応した方向のレーザ光の光束の断面が１．９倍に拡大され、光束内における光強度分布の不均一性が補正される。
【００６６】
光強度分布が補正されたレーザ光は、半波長板１１に入射し、半波長板１１により偏光方向を９０度変換され、グレーティング１２に入射する。
【００６７】
グレーティング１２に入射したレーザ光は、主ビームと複数の副ビームとの３ビームに分離されて偏光ビームスプリッタ１３に入射する。ここでレーザ光を主ビームと複数の副ビームとに分離するのは、トラッキングエラー信号を得るためである。
【００６８】
偏光ビームスプリッタ１３は、Ｐ偏光の光を透過して、Ｓ偏光の光を反射するように構成されている。したがって、グレーティング１２を透過したレーザ光は、この偏光ビームスプリッタ１３を透過して、１／４波長板１４に入射する。
【００６９】
１／４波長板１４に入射したレーザ光は、この１／４波長板１４により円偏光とされて折り曲げミラー１５で光路を９０度曲折されて対物レンズ９に入射する。対物レンズ９に入射したレーザ光は、この対物レンズ９により集束されて、光ディスク７の信号記録層上に照射される。
【００７０】
光学ヘッド６は、以上のようにレーザ光を光ディスク７の信号記録層上に照射させることにより、例えば信号記録層の結晶状態とされた記録膜にアモルファス状態とされた記録マークを形成することで、光ディスク７に情報信号を記録する。
【００７１】
光ディスク７の信号記録層にて反射された戻り光は、対物レンズ９を透過した後、折り曲げミラー１５で光路を９０度曲折されて１／４波長板１４に入射し、１／４波長板１４により偏光ビームスプリッタプリズム１３にとってのＳ偏光とされる。
【００７２】
Ｓ偏光とされた戻り光は、偏光ビームスプリッタ１３により反射され、復路コリメータレンズ１６により平行光に変換されてマルチレンズ１７に入射する。
【００７３】
マルチレンズ１７に入射した戻り光は、このマルチレンズ１７により所定の非点収差が与えられて、光検出素子１８により受光される。
【００７４】
光検出素子１８により受光された戻り光は、光検出素子１８により電気信号に変換されて、図示しない信号処理回路に供給される。信号処理回路は、光検出素子から供給された電気信号に基づいてフォーカスエラー信号やトラッキングエラー信号等のサーボ信号等を生成し、情報の記録及びディスク上の光スポットの制御を行う。
【００７５】
また、光学ヘッド６は、光ディスク７に記録された情報信号を読み出す際は、まず、半導体レーザ８が一定の強度のレーザ光を出射する。
【００７６】
半導体レーザ８から出射されたレーザ光は、記録時と同様に、往路コリメータレンズ１０、アナモルフィックプリズム１、半波長板１１、グレーティング１２、偏光ビームスプリッタ１３、１／４波長板１４をそれぞれ透過し、折り曲げミラー１５で曲折され、対物レンズに９より集束されて、光ディスク７の信号記録層上に照射される。
【００７７】
光ディスク７には、例えばいわゆる相変化記録方式により、所定の情報信号が記録されている。即ち、光ディスク２の記録膜は、レーザ光が照射された箇所にアモルファス状態とされた記録マークが形成されており、この記録マークは結晶状態である記録膜と反射率が異なる。したがって、光ディスク７の信号記録層に照射されたレーザ光の戻り光を検出することにより、光ディスク７に記録された情報信号が読み出される。
【００７８】
光ディスク７の信号記録層にて反射された戻り光は、対物レンズ９を透過して折り曲げミラー１５で曲折され、１／４波長板１４に入射し、１／４波長板１４により偏光ビームスプリッタプリズム１３にとってのＳ偏光とされる。
【００７９】
Ｓ偏光とされた戻り光は、偏光ビームスプリッタ１３により反射され、復路コリメータレンズ１６により平行光に変換されてマルチレンズ１７に入射する。
【００８０】
マルチレンズ１７に入射した戻り光は、このマルチレンズ１７により所定の非点収差が与えられて、光検出素子１８により受光される。
【００８１】
光検出素子１８により受光された戻り光は、光検出素子１８により電気信号に変換されて、図示しない信号処理回路に供給される。信号処理回路は、光検出素子から供給された電気信号に基づいて、フォーカスエラー信号やトラッキングエラー信号等のサーボ信号、及びＲＦ信号等を生成し、情報の再生及びディスク上の光スポットの制御を行う。
【００８２】
本発明に係る光学ヘッド６は、以上説明したように、上述したアナモルフィックプリズム１を用いているため、従来の貼り合わせでないタイプのアナモルフィックプリズムを用いた場合と同様の構成で、光ディスク７の径方向の方が、光ディスク７のトラックの線密度方向よりも光強度の低下を小さくした構成とすることが可能となる。
【００８３】
そして、この光学ヘッド６では、上述したアナモルフィックプリズム１を用いているため、レーザ光の光路上において光軸傾きをなくすことができる。そのため、この光学ヘッド６では、従来のアナモルフィックプリズムを用いた場合に生じていた、アナモルフィックプリズムによる光軸傾きに起因する光学ヘッドの大型化の問題がなく、ヘッドの小型化が可能である。
【００８４】
また、この光学ヘッド６では、上述したアナモルフィックプリズム１を用いているため、アナモルフィックプリズム１の作製に際して個々の部材を精度良く貼り合わせる必要がなく、作製が容易であり生産効率が高く、低コスト化も図れる。
【００８５】
また、本発明に係る光学ヘッド６は、上述したアナモルフィックプリズム１を用いているため、即ち、この光学ヘッド６では、アナモルフィックプリズム１への入射光の進行方向と出射光の進行方向とが平行となされているため、従来のアナモルフィックプリズムでは光軸が傾いていたために問題となっていたアナモルフィックプリズムの位置ずれに関しても、アナモルフィックプリズムの奥行き方向、即ちレーザ光の進行方向に平行な方向に関して、アナモルフィックプリズムの位置ずれの光学ヘッドの品質への影響をなくすことが可能となる。
【００８６】
また、この光学ヘッド６では、上述したアナモルフィックプリズム１によりレーザ光に対して１．４倍以上の変換倍率を与えているため、アナモルフィックプリズム１特有の構成から得られるメリット（光学ヘッドの小型化、低コスト化など）を享受しつつ、ディスク上に集光されるスポットの光強度分布に方向（半導体レーザのｐｎ接合面に対する方向、即ち、θ／／方向、θ⊥方向に対応する方向）による不均一を生じることがないようにすることが可能となる。
【００８７】
次に、本発明を適用したアナモルフィックプリズム１の他の例を図７及び図８に示す。このアナモルフィックプリズム１は、中心波長４０５ｎｍ、波長範囲±１０ｎｍの条件で設計された、変換倍率が異なり、入射光と出射光との光軸オフセット量が等しい色消しアナモルフィックプリズムである。図７及び図８のアナモルフィックプリズム１を比較することにより、光軸のオフセット量Ｘが等しく、変換倍率βの異なるアナモルフィックプリズムの実現が可能であることが判る。
【００８８】
現在、光ディスクの更なる高密度化を目的として、光源に４０５ｎｍ近傍の半導体レーザを用いた光ディスク装置の開発が進められているが、未だ実用には至っていない。したがって、光源の仕様等も未決定の状態である。このように、仕様等が未決定の状態でシステムを開発する場合や、例えば商品化された後においても仕様の変更が予想される場合においては、光源に合わせたアナモルフィックプリズムの倍率最適化が非常に困難となる。これは、従来のアナモルフィックプリズムにおいては、前述したように光軸の傾きが存在し、その傾き量は、アナモ倍率によって変化するため、アナモルフィックプリズムの倍率変更は、即ち、ベースの設計変更につながるからである。
【００８９】
それに対して、図７及び図８に示した本発明を適用したアナモルフィックプリズム１を用いた光学ヘッド６の場合は、複数の倍率のアナモルフィックプリズムに対して、入射光と出射光との光軸のずれを略等しくすることによってベースを共通仕様化することが可能である。即ち、アナモルフィックプリズム１の倍率が変更された場合においても、ベースの設計変更を施す必要がなくなる。そのため、アナモルフィックプリズム１の倍率変更の自由度が生まれるばかりでなく、更には、半導体レーザの特性に応じてアナモルフィックプリズム１との組み合わせを変更することが可能となる。これにより、より広い範囲の特性を有する半導体レーザを用いて、所望の特性を有する光学ヘッドを構成することが可能となる。また、光軸ずれ量を等しくすることは、アナモルフィックプリズム１の長さを適切に設定することにより可能となる。
【００９０】
次に、本発明を適用した光学ヘッドを用いて構成した光学記録再生装置の一構成例について説明する。図９に本発明を適用した光学記録再生装置の一構成例を示す。
【００９１】
この光学記録再生装置１９は、ディスク装置と光ディスクとを備えて構成される。ディスク装置は、光ディスク７を回転駆動する駆動手段としてのスピンドルモータ２０と、光学ヘッドと、その駆動手段としての送りモータ２１とを備えている。
【００９２】
光ディスク７としては、再生専用のＰｉｔディスクを用いても良いが光変調記録を用いた記録再生ディスクであるＣＤ−Ｒ／ＲＷ、ＤＶＤ−Ｒ、ＤＶＤ−ＲＡＭ、ＤＶＤ−Ｒ／ＲＷ、ＤＶＤ＋ＲＷ等や、波長４０５ｎｍ近傍の短波長光源を用いた高密度光ディスクを用いるとより効果的である。
【００９３】
スピンドルモータ２０は、システムコントローラ３０及びサーボ制御回路２２により駆動制御され、所定の回転数で光ディスク７を回転させる。
【００９４】
光学ヘッド６は、上述した本発明に係る光学ヘッドを用いる。
【００９５】
上記光学ヘッド６には、例えば光ディスク７上の所定の記録トラックまで光学ヘッドを移動させるための送りモータが接続されている。スピンドルモータ２０の制御と送りモータ２１の制御と、図示しない光学ヘッドの対物レンズを保持する二軸アクチュエータのフォーカシング方向及びトラッキング方向の制御は、それぞれサーボ制御回路２２により行われる。
【００９６】
信号変調部及びＥＣＣブロック２３は、信号の変調、復調及びエラー訂正符号（ＥＣＣ）の付加を行う。光ヘッド６は、光ディスク７の信号記録面からの反射光束に基づいて、後述するような光ビームを検出し、各光ビームに対応する信号をプリアンプ部２４に供給する。
【００９７】
プリアンプ部２４は、各光ビームに対応する信号に基づいてフォーカスエラー信号、トラッキングエラー信号、ＲＦ信号等を生成するように構成されている。再生対象とされる記録媒体の種類に応じて、サーボ制御回路２２及び信号変調器及びＥＣＣ２３等により、これらの信号に基づく復調及び訂正処理等の所定の処理が行われる。
【００９８】
これにより、復調された記録信号は、例えばコンピュータのデータストレージ用であれば、インタフェイス２５を介して外部コンピュータ２６等に送信される。そして、外部コンピュータ２６等は、光ディスク７に記録された信号を、再生信号として受け取る。
【００９９】
また、オーディオ・ビジュアル用であれば、Ｄ／Ａ、Ａ／Ｄ変換器２７のＤ／Ａ変換部でデジタル／アナログ変換され、オーディオ・ビジュアル処理部２８に供給され、そこで、オーディオ・ビジュアル信号処理が行われ、オーディオ・ビジュアル信号入出力部２９を介して、外部の撮像・映写機器に伝送される。
【０１００】
なお、以上においては、光ディスク用途を例に説明したが、本発明に係るアナモルフィックプリズムは、上記の説明に限定されることなく、従来のアナモルフィックプリズムと同様に、カメラ等の用途にも用いることができる。その場合、例えば、高視野角の映像を通常のフィルム・ＣＣＤ等を用いて記録するカメラの低コスト化、小型化が可能となる。
【０１０１】
本発明に係る光記録再生装置１９は、上述した本発明に係る光学ヘッド６を用いているため、従来の貼り合わせでないタイプのアナモルフィックプリズムを用いた場合と同様の構成で、光ディスクの径方向の方が、光ディスクのトラックの線密度方向よりも光強度の低下を小さくした構成とすることが可能となる。
【０１０２】
また、この光記録再生装置１９は、上述した本発明に係る光学ヘッドを用いているためレーザ光の光路上における光軸傾きに起因する光学ヘッドの大型化の問題がなく、ヘッドの小型化が可能である。
【０１０３】
また、この光記録再生装置１９では、上述した光学ヘッド６を用いているため、生産効率が高く、低コスト化も図れる。
【０１０４】
また、この光記録再生装置では、上述した光学ヘッド６を用いているため、従来のアナモルフィックプリズムでは光軸傾きがあるため問題となっていたアナモルフィックプリズムの位置ずれに関して、アナモルフィックプリズムの奥行き方向、即ちレーザ光の進行方向に平行な方向に関して、アナモルフィックプリズムの位置ずれの光学ヘッドの品質への影響をなくすことができ、信頼性の高いものとなる。
【０１０５】
【発明の効果】
以上、詳細に説明したように、本発明に係るアナモルフィックプリズムは、第１の媒質からなる第１のプリズムと、第２の媒質からなる第２のプリズムとが所定の面を接合面として接合一体化されてなり、第１のプリズム内に入射した光に対して、その光束断面内の特定方向において所定の倍率で拡大若しくは縮小変換を行い、この拡大若しくは縮小変換を行った光を、第１のプリズムに向かう入射光束の進行方向と略平行な進行方向を有する出射光束として、第２のプリズムから出射させる。したがって、このアナモルフィックプリズムは、従来のプリズムを貼り合わせないタイプのアナモルフィックプリズムの有する入射光束と出射光束との進行方向を略平行にする特性と、従来の貼り合わせタイプのアナモルフィックプリズムの有する生産性に優れるという特性を兼ね備えたものとされる。
【０１０６】
また、本発明に係る光学ヘッドは、光源と、当該光源から出射された光をその光束断面内の特定方向に変換するアナモルフィックプリズムと、アナモルフィックプリズムから出射されたを集光して光記録媒体に照射させる対物レンズと、光記録媒体にて反射された戻り光を受光する光検出素子とを備え、アナモルフィックプリズムは、第１の媒質からなる第１のプリズムと、第２の媒質からなる第２のプリズムとが所定の面を接合面として接合一体化されてなり、第１のプリズム内に入射した光に対して、その光束断面内の特定方向において所定の倍率で拡大若しくは縮小変換を行い、この拡大若しくは縮小変換を行った光を、第１のプリズムに向かう入射光束の進行方向と略平行な進行方向を有する出射光束として、第２のプリズムから出射させる。したがって、本発明に係る光学ヘッドは、上述したアナモルフィックプリズムを用いて構成されているため、作製が容易であり、生産性に優れたものとなり、また、光学ヘッド自体を小型化することが可能となる。
【０１０７】
また、本発明に係る光記録再生装置は、光源と、当該光源から出射された光をその光束断面内の特定方向に変換するアナモルフィックプリズムと、アナモルフィックプリズムから出射された光を集光して光記録媒体に照射させる対物レンズと、光記録媒体にて反射された戻り光を受光する光検出素子とを備えた光学ヘッドと、光学ヘッドからの検出信号を処理する信号処理回路と、信号処理回路からの出力に基づいて光学ヘッドの動作を制御する制御手段とを備え、光記録媒体の信号記録面に対して光学的に情報信号の記録再生を行う光記録再生装置であって、光学ヘッドが備えるアナモルフィックプリズムは、第１の媒質からなる第１のプリズムと、第２の媒質からなる第２のプリズムとが所定の面を接合面として接合一体化されてなり、第１のプリズム内に入射した光に対して、その光束断面内の特定方向において所定の倍率で拡大若しくは縮小変換を行い、この拡大若しくは縮小変換を行った光を、第１のプリズムに向かう入射光束の進行方向と略平行な進行方向を有する出射光束として、第２のプリズムから出射させる。したがって、本発明に係る光記録再生装置は、上述したアナモルフィックプリズムを用いて構成されているため、作製が容易であり、生産性に優れたものとなり、また、光記録再生装置自体を小型化することが可能となる。
【０１０８】
したがって、本発明によれば、装置の大型化を招くことなく、記録媒体上での光束の強度分布を簡便に変更することができ、最適な状態で記録再生を行うことができるアナモルフィックプリズム、及び、当該アナモルフィックプリズムを用いた小型で生産性が高い光学ヘッド及び光記録再生装置を提供することが可能となる。
【図面の簡単な説明】
【図１】本発明を適用したアナモルフィックプリズムの一例を示す断面図である。
【図２】アナモ倍率と式（３）の左辺の値との関係を示した特性図である。
【図３】本発明を適用したアナモルフィックプリズムの一面に反射面を設けたアナモルフィックプリズムの一例を示す断面図である。
【図４】本発明を適用したアナモルフィックプリズムの一面にビームスプリッタ面を設けたアナモルフィックプリズムの他の例を示す断面図である。
【図５】本発明を適用した光学ヘッドの一構成例を示す概略構成図である。
【図６】図５の矢視Ｃにおける要部側面図である。
【図７】本発明を適用したアナモルフィックプリズムの他の例を示す断面図である。
【図８】本発明を適用したアナモルフィックプリズムの他の例を示す断面図である。
【図９】本発明を適用した光学記録再生装置の一構成例を示す構成図である。
【図１０】従来のアナモルフィックプリズムの一例を示す断面図である。
【図１１】従来のアナモルフィックプリズムを用いて構成される光学ヘッド及びそれを用いた光ディスク装置のドライブ部分の要部概略平面図である。
【図１２】図１１の矢視Ｄにおける要部側面図である。
【図１３】従来のアナモルフィックプリズムを用いて構成される光学ヘッド及びそれを用いた光ディスク装置のドライブ部分の要部概略平面図である。
【図１４】図１３の矢視Ｅにおける要部側面図である。
【図１５】従来のアナモルフィックプリズムを用いて構成される光学ヘッド及びそれを用いた光ディスク装置のドライブ部分の要部概略平面図である。
【図１６】図１５の矢視Ｆにおける要部側面図である。
【図１７】貼り合わせでないタイプのアナモルフィックプリズムの拡大断面図である。
【図１８】従来のアナモルフィックプリズムを用いて構成される光学ヘッド及びそれを用いた光ディスク装置のドライブ部分の要部概略平面図である。
【図１９】図１８の矢視Ｇにおける要部側面図である。
【図１】
0004483021.tif 000009
【図２】
0004483021.tif 000010
【図３】
0004483021.tif 000011
【図４】
0004483021.tif 000012
【図５】
0004483021.tif 000013
【図６】
0004483021.tif 000014
【図７】
0004483021.tif 000015
【図８】
0004483021.tif 000016
【図９】
0004483021.tif 000017
【図１０】
0004483021.tif 000018
【図１１】
0004483021.tif 000019
【図１２】
0004483021.tif 000020
【図１３】
0004483021.tif 000021
【図１４】
0004483021.tif 000022
【図１５】
0004483021.tif 000023
【図１６】
0004483021.tif 000024
【図１７】
0004483021.tif 000025
【図１８】
0004483021.tif 000026
【図１９】
0004483021.tif 000027